(57)【要約】【課題】ドラムに設けられている円柱側面形状の外周面に、薄い板状の金属製の版を取り付ける版の取り付け構造において、前記ドラムへの前記版の再設置を的確に行うことができる版の取り付け構造を提供する。【解決手段】ドラム３に設けられている円柱側面形状の外周面に、薄い板状の金属製の版５を取り付ける版の取り付け構造において、ドラム３の外周に設けられた溝２３と、溝２３内で版５の一端部を保持する保持手段と、版５をドラム３に密着させるために、前記保持手段で保持した版５に弾性限度内の力を加えて引張る引張手段２８とを有する。【選択図】図６
2008006643.tif 000002
【特許請求の範囲】
【請求項１】
ドラムに設けられている円柱側面形状の外周面に、薄い板状の金属製の版を取り付ける版の取り付け構造において、
前記ドラムの外周に設けられた溝と；
前記溝内で前記版の一端部を保持する保持手段と；
前記版を前記ドラムに密着させるために、前記保持手段で保持した版に弾性限度内の力を加えて引張る引張手段と；
を有することを特徴とする版の取り付け構造。
【請求項２】
ドラムに設けられている円柱側面形状の外周面に、薄い板状の金属製の版を取り付ける版の取り付け構造において、
前記ドラムの外周で、前記ドラムの中心軸の延伸方向に延伸して長く設けられた溝と；
前記溝内で前記版の一端部を保持する保持部材と；
前記ドラムの中心軸の延伸方向から眺めた場合、前記ドラムの外周からはずれ前記溝のところで延伸している前記版の部位であって前記保持部材で保持されている部位を除いた部位である溝内延伸部位が、前記溝の側面の上端における円弧状の前記ドラムの外周の接線方向、もしくは、前記接線方向に対してごく小さな交差角度で交差する方向に直線状に延伸するように、前記保持部材を引張る引張手段と；
を有することを特徴とする版の取り付け構造。
【請求項３】
請求項２に記載の版の取り付け構造において、
前記ドラムの中心軸の延伸方向から眺めた場合、前記溝内延伸部位と前記保持部材で保持されている前記版の部位との境界が、前記溝の上部に位置しており、前記引張手段は、前記境界が前記ドラムの中心軸を中心にした円弧に沿ってもしくは円弧状の前記ドラムの外周の接線方向に対してごく小さな角度で交差する方向に沿って移動するように、前記保持部材を引張る手段であることを特徴とする版の取り付け構造。
【請求項４】
請求項３に記載の版の取り付け構造において、
前記溝の底部は前記ドラムの外周近傍に位置しており、
前記ドラムの中心軸の延伸方向から眺めた場合、前記溝の底面が前記ドラムの中心軸を中心とした円弧状に形成されており、
前記保持部材が前記溝の底面に接触して前記ドラムの中心軸を中心にした円弧に沿って移動することにより、前記境界が前記円弧に沿った移動をするように構成されていることを特徴とする版の取り付け構造。
【請求項５】
円柱状に形成されたドラムと；
前記ドラムの外周で、前記ドラムの中心軸の延伸方向に長く設けられ、前記ドラムの中心軸の延伸方向から眺めた場合、底面が前記ドラムの中心軸を中心とした円弧状に形成されているか、もしくは前記円弧に近似した複数の平面で形成されている溝と；
前記溝内における前記溝の幅方向の一端部側で、前記溝の長さ方向に長く延びて設けられ、前記ドラムの中心軸の延伸方向から眺めた場合、所定の幅で前記溝の底方向に折り曲げられている平板状の金属製の版の一端部を、前記折り曲げをしている折り曲げ線の部位である第１の折り曲げ部位が、前記溝の幅方向の一端部側で前記溝の上部に位置するようにして保持し、前記溝の底面に接触し、前記ドラムの中心軸とほぼ同じ中心軸を中心にして、前記ドラムの周方向に移動するようになっている第１の保持部材と；
前記溝内における前記溝の幅方向の他端部側で、前記第１の保持部材から離れ前記溝の長さ方向に延びて長く設けられ、前記ドラムの中心軸の延伸方向から眺めた場合、所定の幅で前記溝の底方向に折り曲げられている前記版の他端部を、前記折り曲げをしている折り曲げ線の部位である第２の折り曲げ部位が、前記溝の幅方向の他端部側で前記溝の上部に位置するようにして保持し、前記溝の底面に接触し、前記ドラムの中心軸とほぼ同じ中心軸を中心にして、前記ドラムの周方向に移動するようになっている第２の保持部材と；
前記第１の保持部材と前記第２の保持部材とが互いに接近するように付勢する付勢手段と；
を有することを特徴とする版の取り付け構造。
【請求項６】
円柱状に形成されたドラムと；
前記ドラムの外周で互いが離れ、前記ドラムの中心軸の延伸方向に長く設けられ、前記ドラムの中心軸の延伸方向から眺めた場合、底面が前記ドラムの中心軸を中心とした円弧状に形成されているか、もしくは前記円弧に近似した複数の平面で形成されている複数の溝と；
前記各溝内における前記各溝の幅方向の一端部側で、前記各溝の長さ方向に長く延びて設けられた複数の第１の保持部材と；
前記各溝内における前記各溝の幅方向の他端部側で、前記第１の各保持部材から離れ前記各溝の長さ方向に長く延びて設けられた複数の第２の保持部材と；
前記各溝内に設けられた第１の各保持部材と第２の各保持部材とを互いに接近するように付勢する付勢手段と；
を有し、前記第１の各保持部材は、前記ドラムの中心軸の延伸方向から眺めた場合、所定の幅で前記溝の底方向に折り曲げられている平板状の第１の金属製の版の一端部を、前記折り曲げをしている折り曲げ線の部位である第１の折り曲げ部位が、前記溝の幅方向の一端部側で前記溝の上部に位置するようにして保持し、前記溝内における前記溝の幅方向の一端部側で前記溝の底面に接触し、前記ドラムの中心軸とほぼ同じ中心軸を中心にして、前記ドラムの周方向に移動するようになっており、前記第２の各保持部材は、前記ドラムの中心軸の延伸方向から眺めた場合、所定の幅で前記溝の底方向に折り曲げられている前記第１の版とは異なる平板状の第２の金属製の版の一端部を、前記折り曲げをしている折り曲げ線の部位である第２の折り曲げ部位が、前記溝の幅方向の他端部側で前記溝の上部に位置するようにして保持し、前記溝内における前記溝の幅方向の他端部側で前記溝の底面に接触し、前記ドラムの中心軸とほぼ同じ中心軸を中心にして、前記ドラムの周方向に移動するようになっており、
前記各保持部材を用いて複数枚の版を前記ドラムに設置することができるように構成されていることを特徴とする版の取り付け構造。
【請求項７】
請求項５または請求項６に記載の版の取り付け構造において、
前記付勢手段は、Ｏリングを用いて前記第１の保持部材と前記第２の保持部材とが互いに接近するように付勢する構成であることを特徴とする版の取り付け構造。
【請求項８】
請求項７に記載の版の取り付け構造において、
前記各保持部材には、前記Ｏリングを掛けるための係合部が設けられており、
前記Ｏリングは、前記各係合部に掛けられ前記溝のほぼ幅方向に延びて、前記第１の保持部材と前記第２の保持部材とが互いに接近するように付勢していると共に、前記各係合部の間で延びているＯリングの部位は、少なくとも１回交差していることを特徴とする版の取り付け構造。
【請求項９】
請求項５または請求項６に記載の版の取り付け構造において、
前記第１の保持部材には、前記Ｏリングを掛けるための係合部が複数設けられており、前記第２の保持部材には、前記第１の保持部材に設けられている係合部に対向して、前記Ｏリングを掛けるための係合部が複数設けられており、
前記付勢手段は、前記第１の保持部材の係合部と前記第２の保持部材の係合部との間に掛けられた複数のＯリングのうちで隣合っている各Ｏリングを、ターンバックルを用いて引っ張ることにより、前記第１の保持部材と前記第２の保持部材とが互いに接近するように付勢する構成であることを特徴とする版の取り付け構造。
【請求項１０】
請求項９に記載の版の取り付け構造において、
前記ターンバックルは、一端部が、前記隣り合っている各Ｏリングのうちの１つのＯリングの部位であって前記隣り合っているＯリングのうちの他の１つのＯリングとは反対側に位置している部位に係合し、他端部が、前記隣り合っているＯリングのうちの前記他の１つのＯリングの部位であって前記隣り合っているＯリングのうちの前記１つのＯリングとは反対側に位置している部位に係合するように設けられていることを特徴とする版の取り付け構造。
【請求項１１】
請求項５〜請求項１０のいずれか１項に記載の版の取り付け構造において、
前記溝内への液体の侵入を防止するためのカバーを有することを特徴とする版の取り付け構造。
【発明の詳細な説明】
【技術分野】
【０００１】
本発明は、版の取り付け構造に係り、特に、ドラムに設けられている円柱側面形状の外周面に、薄い板状の版を取り付けるものに関する。
【背景技術】
【０００２】
従来、側面に溝を備えた円柱状のドラムと、このドラムよりはるかに小さい外径の円柱状に形成され前記溝内で回転（自転）するようになっている版保持部材とを備えた版の取り付け構造が知られている（たとえば、特許文献１参照）。
【０００３】
前記版保持部材は、前記版の端部を保持し自らが回転することによって、前記版を自らの側面（外周）に密着させて前記版を巻き取ることができるようになっている。そして、前記版を引っ張り前記版を前記ドラムの外周面に密着させ前記ドラムに一体的に設けることができるようになっている。
【特許文献１】特開昭６３−２８６４８号公報
【発明の開示】
【発明が解決しようとする課題】
【０００４】
ところで、前記従来の版の取り付け構造において、ゴム等の部材で構成された版ではなく金属製の版を用いると、小径の版保持部材の外周を用いて前記版を巻き取るので、前記版は前記保持部材に密着する部位で塑性変形を起こしてしまう。
【０００５】
また、円弧状のドラムの外周の接線方向に対して比較的大きな交差角度で版が延伸しているために、前記版が前記保持部材に密着する部位で塑性変形するだけでなく、版の剛性が高いために前記版が前記ドラムから離れてしまう場合がある。この結果、電気めっき装置においては均一な電気的導通が得られなくなり、転写装置においては、均一な転写が妨げられることになる。
【０００６】
また、前記版を前記ドラムに取り付けたままであるなら前記版が塑性変形しても問題は発生しないが、前記版のメンテナンス（前記版に設けられているパターン等のメンテナンス）のために前記版を前記ドラムから取り外し、再び前記ドラムに取り付けようとすると、前記塑性変形が発生した版の部位の位置と前記版保持部材の外周の位置とが僅かにずれてしまい、前記版が金属で構成され剛性が高いがゆえに容易には変形せず、前記版が前記保持部材や前記ドラムに密着しない事態が発生する場合があり、前記版を的確に保持することが困難になるという問題がある。
【０００７】
前記問題は、前記ドラムから一旦取り外した前記版を前記ドラムとは異なるドラム（前記ドラムと同仕様のドラム）に取り付ける場合にも同様に発生する。同じ仕様のドラムであっても、加工誤差等により実際にはごく僅かであるが形態が異なっているからである。
【０００８】
また、前記問題は、版がドラムの外周と溝との境界のところで、急激に曲げられて、保持されている構成もの（たとえば、特開平１１−２５４６４３号公報参照）においても同様に発生する問題である。
【０００９】
本発明は、前記問題点に鑑みてなされたものであり、ドラムに設けられている円柱側面形状の外周面に、薄い板状の金属製の版を取り付ける版の取り付け構造において、前記ドラムへの前記版の密着性の良い取り付けを的確に行うことができる版の取り付け構造を提供することを目的とする。
【課題を解決するための手段】
【００１０】
本発明は、ドラムに設けられている円柱側面形状の外周面に、薄い板状の金属製の版を取り付ける版の取り付け構造において、前記ドラムの外周に設けられた溝と、前記溝内で前記版の一端部を保持する保持手段と、前記版を前記ドラムに密着させるために、前記保持手段で保持した版に弾性限度内の力を加えて引張る引張手段とを有する版の取り付け構造である。
【００１１】
また、本発明は、ドラムに設けられている円柱側面形状の外周面に、薄い板状の金属製の版を取り付ける版の取り付け構造において、前記ドラムの外周で、前記ドラムの中心軸の延伸方向に延伸して長く設けられた溝と、前記溝内で前記版の一端部を保持する保持部材と、前記ドラムの中心軸の延伸方向から眺めた場合、前記ドラムの外周からはずれ前記溝のところで延伸している前記版の部位であって前記保持部材で保持されている部位を除いた部位である溝内延伸部位が、前記溝の側面の上端における円弧状の前記ドラムの外周の接線方向、もしくは、前記接線方向に対してごく小さな交差角度で交差する方向に直線状に延伸するように、前記保持部材を引張る引張手段とを有する版の取り付け構造である。
【００１２】
また、本発明は、円柱状に形成されたドラムと、前記ドラムの外周で、前記ドラムの中心軸の延伸方向に長く設けられ、前記ドラムの中心軸の延伸方向から眺めた場合、底面が前記ドラムの中心軸を中心とした円弧状に形成されているか、もしくは前記円弧に近似した複数の平面で形成されている溝と、前記溝内における前記溝の幅方向の一端部側で、前記溝の長さ方向に長く延びて設けられ、前記ドラムの中心軸の延伸方向から眺めた場合、所定の幅で前記溝の底方向に折り曲げられている平板状の金属製の版の一端部を、前記折り曲げをしている折り曲げ線の部位である第１の折り曲げ部位が、前記溝の幅方向の一端部側で前記溝の上部に位置するようにして保持し、前記溝の底面に接触し、前記ドラムの中心軸とほぼ同じ中心軸を中心にして、前記ドラムの周方向に移動するようになっている第１の保持部材と、前記溝内における前記溝の幅方向の他端部側で、前記第１の保持部材から離れ前記溝の長さ方向に延びて長く設けられ、前記ドラムの中心軸の延伸方向から眺めた場合、所定の幅で前記溝の底方向に折り曲げられている前記版の他端部を、前記折り曲げをしている折り曲げ線の部位である第２の折り曲げ部位が、前記溝の幅方向の他端部側で前記溝の上部に位置するようにして保持し、前記溝の底面に接触し、前記ドラムの中心軸とほぼ同じ中心軸を中心にして、前記ドラムの周方向に移動するようになっている第２の保持部材と、前記第１の保持部材と前記第２の保持部材とが互いに接近するように付勢する付勢手段とを有する版の取り付け構造である。
【００１３】
また、本発明は、円柱状に形成されたドラムと、前記ドラムの外周で互いが離れ、前記ドラムの中心軸の延伸方向に長く設けられ、前記ドラムの中心軸の延伸方向から眺めた場合、底面が前記ドラムの中心軸を中心とした円弧状に形成されているか、もしくは前記円弧に近似した複数の平面で形成されている複数の溝と、前記各溝内における前記各溝の幅方向の一端部側で、前記各溝の長さ方向に長く延びて設けられた複数の第１の保持部材と、前記各溝内における前記各溝の幅方向の他端部側で、前記第１の各保持部材から離れ前記各溝の長さ方向に長く延びて設けられた複数の第２の保持部材と、前記各溝内に設けられた第１の各保持部材と第２の各保持部材とを互いに接近するように付勢する付勢手段とを有し、前記第１の各保持部材は、前記ドラムの中心軸の延伸方向から眺めた場合、所定の幅で前記溝の底方向に折り曲げられている平板状の第１の金属製の版の一端部を、前記折り曲げをしている折り曲げ線の部位である第１の折り曲げ部位が、前記溝の幅方向の一端部側で前記溝の上部に位置するようにして保持し、前記溝内における前記溝の幅方向の一端部側で前記溝の底面に接触し、前記ドラムの中心軸とほぼ同じ中心軸を中心にして、前記ドラムの周方向に移動するようになっており、前記第２の各保持部材は、前記ドラムの中心軸の延伸方向から眺めた場合、所定の幅で前記溝の底方向に折り曲げられている前記第１の版とは異なる平板状の第２の金属製の版の一端部を、前記折り曲げをしている折り曲げ線の部位である第２の折り曲げ部位が、前記溝の幅方向の他端部側で前記溝の上部に位置するようにして保持し、前記溝内における前記溝の幅方向の他端部側で前記溝の底面に接触し、前記ドラムの中心軸とほぼ同じ中心軸を中心にして、前記ドラムの周方向に移動するようになっており、前記各保持部材を用いて複数枚の版を前記ドラムに設置することができるように構成されている版の取り付け構造である。
【発明の効果】
【００１４】
本発明によれば、ドラムに設けられている円柱側面形状の外周面に、薄い板状の金属製の版を取り付ける版の取り付け構造において、前記ドラムへの前記版の密着性の良い取り付けを的確に行うことができるという効果を奏する。
【発明を実施するための最良の形態】
【００１５】
図１は、本発明の実施形態に係る版５の取り付け構造１に使用されるドラム３の概略構成を示す斜視図である。なお、図１では、図面が煩雑化することを防止するために、版５の取り付け構造１の表示を省略してある。
【００１６】
図２は、版５の斜視図であり、図３は、版５が設置されたドラム３の使用状態の概略を示す図である。
【００１７】
版５は、平板状等の薄い板状に形成されており、たとえば、ステンレス等の金属で構成されている。版５の厚さ方向の一方の面には微細な凹凸で形成されたパターンが設けられている。前記パターンは、たとえば、図２に示すような網目状（正方形等の矩形な網目状）の凸部７と、この凸部７よりもへこんでいる凹部９とにより形成されている。凸部７では、ステンレスの材質が露出しており、前記凹部９では、ステンレスの材質が絶縁層で覆われている。
【００１８】
版５は、版の取り付け構造（単に「取り付け構造」という場合がある）１を用いて、ドラム３に設けられている円柱側面形状の外周面に一体的に取り付けられる。版５が取り付けられた（設置された）状態では、前記微細なパターンが形成されていない版５の厚さ方向の他方の面がドラム３の外周面に密着している。
【００１９】
版５が設置されたドラム３は、凸部７と同様な網目状の薄い金属層（たとえば銅の薄い層）を薄いシート状の部材（たとえば、透明な樹脂製のフィルム）１１に設けるフィルム製造装置１３に使用されるようになっている。
【００２０】
より詳しく説明すると、図３に示すように、フィルム製造装置１３は、メッキ浴１５を備えており、版５が設置されたドラム３は、この下側がメッキ浴１５の溶液の中に浸っていると共に、図示しないモータ等のアクチュエータで回転するようになっている。そして、メッキ浴１５の溶液中に浸っている間に、メッキにより凸部７に網目状の薄い銅の膜が形成されるようになっている。
【００２１】
ドラム３の上側には、各ローラ１７、１９が設けられており、図示しないアクチュエータで各ローラ１７、１９が回転し、シート状の部材１１が、ローラ１７からローラ１９に送られるようになっている。シート状の部材１１の送り方向の中間部は、ローラ２１によりドラム３（版５）に押し付けられるようになっており、この押し付けで発生する圧力により、版５に形成された網目状の薄い銅の膜が、シート状の部材１１に転写されるようになっている。
【００２２】
網目状の薄い銅の膜が転写されたシート状の部材１１は適宜の形態に切断され、たとえば、プラズマディスプレイの表示面に設けられ、前記プラズマディスプレイから発生する電磁波を遮断するための遮断フィルムとして使用される。
【００２３】
ここで、版５の取り付け構造１について説明する。
【００２４】
図４は、取り付け構造１の概略構成を示す分解斜視図である。なお、図４では、図面が煩雑化することを防止するため、一部の構成部品の表示を省略してある。
【００２５】
図５は、図１および図４におけるＶ矢視を示す図である。図６は、図５におけるＶＩ−ＶＩ断面図であり、図７は、図５におけるＶＩＩ−ＶＩＩ断面図であり、図８は、図５におけるＶＩＩＩ矢視図であり、図９は、図８におけるＩＸ−ＩＸ断面図である。なお、図４や図５では、ドラム３の中心軸ＣＬ１の延伸方向で取り付け構造１の一端部側しか描いていないが、中心軸ＣＬ１の延伸方向の他端部側も同様に構成されているものである。
【００２６】
ドラム３の外周には、ドラム３の中心軸（ドラム３の円柱側面形状の外周面に平行な方向に延伸している中心軸；ドラム３の回転中心軸）ＣＬ１の延伸方向に延伸した溝２３が長く設けられている。なお、溝２３の、ドラム３の中心軸ＣＬ１に垂直な平面による断面は、所定の形状（たとえば、ほぼ等脚台形状）に形成されている。
【００２７】
取り付け構造１は、保持部材２５と引張（引っ張り）手段２８とを備えて構成されている。保持部材２５は、前記溝２３内で平板状（シート状）の版５の一端部を保持することができるようになっている。
【００２８】
引張手段２８は、版５の一端部を保持している保持部材２５を引張るものであり、引張手段２８で引張ることによって、版５がドラム３の外周に密着するようになっている。なお、ドラム３と版５との電気的密着度を高めるために、ドラム３と版５との間の全面には、フェルト状のカーボンシート３０が設けられている（図６、図７参照）。
【００２９】
ドラム３の中心軸ＣＬ１の延伸方向から眺めると、図６に示すように、引張手段２８で引張ることによって、版５の溝内延伸部位２９が、溝２３の側面３１の上端２７における円弧状のドラム３の外周の接線方向に直線状に延伸している（図６参照）。溝内延伸部位２９は、ドラム３の外周からはずれ、溝２３のところで延伸している版５の部位であって保持部材２５で保持されている部位３３を除いた部位である。なお、版５の溝内延伸部位２９が、前記接線方向に対してごく小さな交差角度で交差する方向であって溝２３の底３５側に向かう方向に直線状に延伸するようにしてもよい。
【００３０】
また、ドラム３の中心軸ＣＬ１の延伸方向から眺めると、溝内延伸部位２９と保持部材２５で保持されている版５の部位３３との境界３７は、溝２３の上部（溝２３の底３５とは逆側；ドラム３の外周側）に位置しており、引張手段２８は、境界３７がドラム３の中心軸ＣＬ１を中心にした円弧に沿って、もしくは、円弧状の前記ドラムの外周の接線方向に対してごく小さな角度で交差する方向に沿って移動するように、保持部材２５を引張るように構成されている。
【００３１】
溝２３の底（底部）３５はドラム３の外周近傍に位置しており、すなわち、溝２３の深さは、ドラム３の半径に対して１／２００〜１／５程度の深さになっており、ドラム３の中心軸ＣＬ１の延伸方向から眺めると、溝２３の底面３９がドラム３の中心軸ＣＬ１を中心とした円弧状に形成されている。なお、溝２３の底面３９を円弧状に形成する加工が困難であることに鑑みて、前記円弧状の底面３９は、溝２３の平面状の底部３５に円弧状の部位を備えた部材４１を一体的に設けることにより形成されている。保持部材２５は、溝２３の円弧状の底面３９に接触してドラム３の中心軸ＣＬ１を中心にした円弧に沿って移動し、境界３７が円弧（ドラム３の外周面の近傍の円弧）に沿った移動をするようになっている。
【００３２】
版５の取り付け構造についてさらに詳しく説明する。
【００３３】
ドラム３はすでに理解されるように円柱状に形成されており、溝２３は、ドラム３の外周でドラム３の中心軸ＣＬ１の延伸方向に沿って前記外周の全長にわたり長く設けられている。ドラム３の中心軸ＣＬ１の延伸方向から眺めると、溝２３の底面３９は、ドラム３の中心軸ＣＬ１を中心とした円弧状（半径がドラム３の半径よりも僅かに小さい円弧状）に形成されている。
【００３４】
溝２３内には、２つの保持部材２５（２５Ａ、２５Ｂ）が設置されるようになっている。
【００３５】
保持部材２５Ａは、溝２３内における溝２３の幅方向（ドラム３の周方向；図６や図７の左右方向）の一端部側で、溝２３の長さ方向（ドラム３の中心軸ＣＬ１の延伸方向；図６や図７の紙面に垂直な方向）に長く延びて設けられている。また、ドラム３の中心軸ＣＬ１の延伸方向から眺めると、保持部材２５Ａは、所定の幅で溝２３の底３５の方向に折り曲げられている平板状の版５の一端部３３を、前記折り曲げをしている折り曲げ線の部位である折り曲げ部位３７が、溝２３の幅方向の一端部側で溝２３の上部側に位置するようにして保持している。そして、保持部材２５Ａは、溝２３内における溝２３の幅方向の一端部側で、溝２３の円弧状の底面３９に接触し、ドラム３の中心軸ＣＬ１とほぼ同じ中心軸を中心にして、ドラム３の周方向に移動するようになっている。
【００３６】
また、溝２３内における溝２３の幅方向の他端部側には、保持部材２５Ｂが、保持部材２５Ａと同様にまた対称に設けられており、各保持部材２５Ａ、２５Ｂの間には、各保持部材２５Ａ、２５Ｂが、溝２３のほぼ幅方向で互いに接近するように付勢する（引っ張る）付勢手段４３（引張手段２８）が設けられている。
【００３７】
このように構成されていることによって、適宜の長さの版５を、この厚さ方向の裏面（パターンが形成されていない面）をドラム３の外周面に密着させドラム３に巻きつけて、ドラム３に一体的に設置することができるようになっている。版５の長さはドラム３の外周よりも僅かに短く、版５の幅はドラム３の幅（軸ＣＬ１方向の長さ）よりも僅かに小さくなっている。なお、一方の保持部材（たとえば、保持部材２５Ｂ）が、ドラム３に固定されている構成であってもよい。
【００３８】
ここで、保持部材２５Ａ等について図６、図７を用いてさらに詳しく説明する。
【００３９】
保持部材２５Ａは、図６や図７に示すように、断面が「Ｌ」字状に形成されており、図６や図７の紙面に直交する方向（ドラム３の軸ＣＬ１の延伸方向）に延びている。保持部材２５Ａの長さは、溝２３の長さよりも僅かに短くなっている。保持部材２５Ａは、この上部側で、版５の一端部３３を保持している。より詳しくは、版５の一端部３３を、帯状の押さえ部材４４と協働して挟み込んで保持している。押さえ部材４４は、ボルト４５等の締結具で保持部材２５Ａに一体的に取り付けられている。
【００４０】
保持部材２５Ａの下部の面には、鈍角な三角形状の逃げ部４８が設けられており、この逃げ部４８の両側で、保持部材２５Ａが溝２３の円弧状の底面３９に接触している。なお、逃げ部４８を設けないで、保持部材２５Ａの下部の面を円弧状（半径が底面３９と等しい円弧状）に形成してもよい。
【００４１】
境界（折り曲げ部位）３７のところにおける保持部材２５Ａの角度αは、９０°よりも僅かに小さい鋭角になっており、溝内延伸部位２９における版５と保持部材２５Ａとの干渉を防いで、版５に余計な外力が加わらないようになっている。また、保持部材２５Ａの保持部材２５Ｂ側の部位には、円柱状に形成された突起４７がボルト４９等の締結具を用いて一体的に設けられている。なお、保持部材２５Ｂも、保持部材２５Ａと同様に構成されている。
【００４２】
付勢手段４３は、たとえば、Ｏリング５１を用いて各保持部材２５Ａ、２５Ｂが互いに接近するように付勢している。
【００４３】
すなわち、Ｏリング５１は、各保持部材２５Ａ、２５Ｂの長手方向（ドラム３の中心軸ＣＬ１の延伸方向）で間隔をあけて複数設けられており、これらのＯリング５１の設置に応じて、Ｏリング５１を掛けるための係合部（たとえば突起４７）が複数設けられている。そして、Ｏリング５１が、各係合部４７に掛けられ溝２３のほぼ幅方向に延びて、各保持部材２５Ａ、２５Ｂとが互いに接近するように付勢されている。なお、Ｏリングに代えて、引張りばね等の弾性体を用いてもよい。
【００４４】
また、溝２３の長手方向の両端部には、「Ｌ」字状の押さえ部材５３が設けられている。これらの押さえ部材５３は、ボルト等の締結具（図示せず）でドラム３に固定され、保持部材２５の長手方向の両端部と係合し（円弧状の面５４で摺動するように面接触し；図８、図９参照）、保持部材２５が浮き上がること（溝２３の外に飛び出すこと）を防止している。
【００４５】
なお、図１０（Ｏリング５１の設置形態の変形例を示す図）に示すように、係合部４７の間で延びているＯリング５１の部位が、少なくとも１回交差するようにしてもよい。すなわち、Ｏリング５１を、ベルト伝動装置のベルトとして考え、各係合部４７は各保持部材２５Ａ、２５Ｂに一体的に設けられており回転しないが各係合部４７を前記ベルト伝動装置のベルト車と考えると、Ｏリング５１は、たとえば、十字掛けされたベルトのように設けられている。なお、Ｏリング５１を、図５で示すように平行掛けのように設けてもよい。
【００４６】
また、取り付け構造１には、溝２３内への液体（たとえば、メッキの溶液）の侵入を防止するためのカバー５５が設けられている。このカバー５５は、溝２３の上部を覆う平板状のカバー５７と、溝２３の両端部を覆う平板状のカバー５９等で構成されている。
【００４７】
カバー５７は、ボルト６０等の締結具によって、ドラム３に一体的に設けられるようになっており、カバー５９も、ボルト（図示せず）等の締結具によって、ドラム３に一体的に設けられるようになっている。なお、カバー５９とドラム３との間には、板状のシール部材６１が設置されるようになっている。さらに、カバー５７と版５との間の隙間、押さえ部材５３とカバー５７との間の隙間、および、カバー５７のボルト６０の頭部には、テフロン（登録商標）テープ等のシールテープ６３が貼られている。
【００４８】
版５の取り付け構造１によれば、溝内延伸部位２９が、溝２３の側面３１の上端２７における円弧状のドラム３の外周の接線方向、もしくは、前記接線方向に対してごく小さな交差角度で交差する方向に直線状に延伸するように付勢されているので、版５の溝内延伸部位２９と版５のドラム３の外周に係合している部位とにおいて塑性変形が発生せず、一旦ドラム３に設置しこの後ドラム３から取り外した状態においても、版５は、未だドラム３に取り付けられていない形態（たとえば平板状の形状；図２参照）を維持している。したがって、版５をドラム３に設置する場合、版５がドラム３の外周に追随して密着し、また、版５を保持部材２５で的確に保持することができ、版５を密着性の良い状態でドラム３に的確に設置し保持することができる。
【００４９】
この結果、フィルム製造装置１３の電気メッキおいて均一な電気的導通を得ることができ、また、均一な転写を行うことができる。
【００５０】
また、版５の取り付け構造１によれば、版５の境界３７が溝２３の上部に位置し、引張手段２８によって境界３７がドラム３の中心軸ＣＬ１を中心にした円弧に沿って移動するようになっているので、版５を適正な方向に引張ることができ、版５をドラム３に一層的確に設置し保持することができる。
【００５１】
さらに、版５の取り付け構造１によれば、保持部材２５が、深さの浅い溝２３の円弧状の底面３９に接触して円弧状に移動するようになっているので、簡素な構成の機構で版５に適正な方向の引張り力を与えることができる。すなわち、版５をドラム３の外周に的確に密着させるべく版５の端部をドラム３の中心軸ＣＬ１と同心でドラム３の半径とほぼ等しい円弧に沿って溝２３内で移動させようとして、ドラム３の中心軸ＣＬ１から溝２３までの延びた揺動部材（ドラム３の中心軸ＣＬ１を中心にして揺動する揺動部材）を設け、この揺動部材の溝２３側の端部（ドラム３の外周側に位置している端部）で版５を保持するように構成すると、機構の構成が煩雑になる。特に、ドラム３の外径が大きくなった場合（たとえば、ドラム３の外径が２０００ｍｍになった場合）、前記揺動部材の長さが１０００ｍｍ程度になり、前記揺動部材の支持等を含め、機構の構成が煩雑になるが、取り付け構造１では、前述したような揺動部材を用いていないので、機構の構成が簡素になっている。
【００５２】
また、版５の取り付け構造１において、図１０に示すように、Ｏリング５１を交差させて各保持部材２５を付勢すれば、保持部材２５の付勢方向と、Ｏリング５１の延伸方向とがほぼ一致し、各保持部材２５を効率良く付勢することができる。
【００５３】
さらに、図１１（版５の一端部の保持方式の変形例を示す図）に示すように、版５の一端部を２回折り曲げ、これらの折り曲げられた部位を、保持部材２５Ｃに係合させ、保持部材２５Ｃで版５を保持するようにしてもよい。なお、版５は、一つ目の折り曲げ部位３７では、ほぼ直角に折り曲げられており、二つ目の折り曲げ部位３７Ａでは、１３５°程度の鈍角に折り曲げられており、保持部材２５Ｃには、二つ目の折り曲げ部位３７Ａよりも端部側の版５の部位を収容するための溝２５Ｄが設けられている。このように構成することによって、版５を一層的確に保持することができる。
【００５４】
ここで、各保持部材２５と溝２３の底面との係合の態様の変形例いくつか掲げる。
【００５５】
まず、図１２（各保持部材２５と溝２３の底面３９との係合の態様の変形例を示す図であり、図６に対応した図）にように、保持部材２５の下部の面に、細長い矩形状の逃げ部６５を設けられており、この逃げ部６５の両側で、保持部材２５が溝２３の円弧状の底面３９に接触するようにしてもよい。
【００５６】
また、図１３（各保持部材２５と溝２３の底面３９との係合の態様の変形例を示す図であり、図６に対応した図）にように、部材４１を設けることなく、ドラム３の底面３９をドラム３と一体で構成してもよい。
【００５７】
また、図１４（各保持部材２５と溝２３の底面３９との係合の態様の変形例を示す図であり、図６に対応した図）にように、部材４１を設けることなく、ドラム３の底面３９をドラム３と一体で構成し、さらに、溝２３の底面３９を図６に示す円弧状の底面３９に近似した複数の平面３９Ａ、３９Ｂで形成し、平面３９Ａに保持部材２５Ａの平面状に底面を面接触させ、平面３９Ｂに保持部材２５Ｂの平面状に底面を面接触させた構成であってもよい。
【００５８】
また、図１５（各保持部材２５と溝２３の底面３９との係合の態様の変形例を示す図であり、図６に対応した図）にように、図１４に示した態様において、保持部材２５の下部の面に、鈍角な三角形状の逃げ部４８が設け、この逃げ部４８の両側で、保持部材２５が、平面状の３９Ａ、３９Ｂに接触するようにしてもよい。
【００５９】
また、図１６（各保持部材２５と溝２３の底面３９との係合の態様の変形例を示す図であり、図６に対応した図）にように、図１４に示した態様において、保持部材２５の下部の面に、細長い矩形状の逃げ部６５を設け、この逃げ部６５の両側で、保持部材２５が、平面状の３９Ａ、３９Ｂに接触するようにしてもよい。
【００６０】
さらに、図１６（各保持部材２５と溝２３の底面３９との係合の態様の変形例を示す図であり、図６に対応した図）にように、図１５に示した態様において、溝２３の底面３９を、３つの平面３９Ａ、３９Ｂ、３９Ｃで構成してもよい。
【００６１】
また、摩擦係数を低減するために、底面３９と、この底面３９の接触する保持部材２５の面にメッキ等の表面処理を施してあってもよい。
【００６２】
次に、付勢手段４３の変形例をいくつか掲げる。
【００６３】
図１８に示す態様では、ターンバックル６７を用いＯリング５１を引っ張って、各保持部材２５を付勢している。
【００６４】
より詳しく説明すると、保持部材２５Ａには複数の係合部４７が設けられている。また、保持部材２５Ｂにも、複数の係合部４７が設けられている。保持部材２５Ａの各係合部４７と保持部材２５Ｂの各係合部４７とは、ドラム３の軸ＣＬ１の方向でそれぞれが一致した位置に設けられている。各Ｏリングは、ドラム３の軸ＣＬ１の方向で一致した係合部４７に掛けられている。
【００６５】
そして、保持部材２５Ａの係合部４７と保持部材２５Ｂの係合部４７との間に掛けられた複数のＯリング５１のうちで隣合っている各Ｏリング５１を、ターンバックル６７を用いて引っ張ることにより、保持部材２５Ａと保持部材２５Ｂとが互いに接近するように付勢している。
【００６６】
このように構成してあることで、Ｏリング５１のみで各保持部材２５引っ張る場合に比べ、引っ張り力を微調整することが容易になっており、版５を一層的確に引っ張ることができる。
【００６７】
また、図１９に示す態様では、ターンバックル６７の一端部６７Ａが、隣り合っている各Ｏリング５１のうちの１つのＯリング５１Ａの部位であって前記隣り合っているＯリング５１のうちの他の１つのＯリング５１Ｂとは反対側に位置している（ターンバックル６７が設置される前に、反対側に位置している）部位５１Ｃに係合しており、ターンバックル６７の他端部６７Ｂが、前記隣り合っているＯリング５１のうちの前記他の１つのＯリング５１Ｂの部位であって前記隣り合っているＯリング５１のうちの前記１つのＯリング５１Ａとは反対側に位置している（ターンバックル６７が設置される前に、反対側に位置している）部位５１Ｄに係合している。そして、各係合部４７に掛けられたＯリング５１は、各係合部４７の間で交差している。
【００６８】
また、図２０に示すように、各係合部４７に複数のＯリング５１を掛けてもよく、さらに、各係合部４７に１本の長いＯロングを複数回重ねて巻き掛けてもよい。
【００６９】
また、図２１に示すように、各係合部４７に、１本の長いＯリングを巻き掛けてもよい。
【００７０】
ところで、前記説明では、ドラム３に１枚の版５を設置しているが、図２２（版の取り付け構造の変形例を示す図）に示すように、ドラム３の外周のほぼ全面にわたって複数枚の版５（５Ａ〜５Ｄ）を設置するようにしてもよい。
【００７１】
すなわち、版の取り付け構造１を、円柱状に形成されたドラム３と、ドラム３の外周で互いが離れドラム３の中心軸ＣＬ１の延伸方向に長く設けられドラム３の中心軸ＣＬ１の延伸方向から眺めた場合、底面３９がドラム３の中心軸ＣＬ１を中心とした円弧状に形成されている複数の溝２３と、各溝２３内における各溝２３の幅方向の一端部側で各溝２３の長さ方向に長く延びて設けられた複数の第１の保持部材と、各溝２３内における各溝２３の幅方向の他端部側で前記第１の各保持部材から離れ各溝２３の長さ方向に長く延びて設けられた複数の第２の保持部材と、各溝２３内に互いが隣接して設けられた前記第１の各保持部材と前記第２の各保持部材とを各溝２３のほぼ幅方向で互いに接近するように付勢する付勢手段とを有し、前記第１の各保持部材は、ドラム３の中心軸ＣＬ１の延伸方向から眺めた場合、所定の幅で溝２３の底方向に折り曲げられている薄い平板状の第１の金属製の版（前記ドラムに巻き付けられる版；長さが前記ドラムの外周の整数分の１（たとえば、１／２、１／３、・・・）の長さとほぼ等しく幅が、前記ドラムの幅よりも僅かに狭い版）５Ａの一端部を、前記折り曲げをしている折り曲げ線の部位である第１の折り曲げ部位が、溝２３の幅方向の一端部側で溝２３の上部に位置するようにして保持し、溝２３内における溝２３の幅方向の一端部側で溝２３の円弧状の底面３９に接触し、ドラム３の中心軸ＣＬ１とほぼ同じ中心軸を中心にして、ドラム３の周方向に移動するようになっており、前記第２の各保持部材は、ドラム３の中心軸ＣＬ１の延伸方向から眺めた場合、所定の幅で溝２３の底方向に折り曲げられている第１の版５Ａとは異なる薄い平板状の第２の金属製の版（前記ドラムに巻き付けられる版；長さが前記ドラムの外周の整数分の１（たとえば、１／２、１／３、・・・）の長さとほぼ等しく幅が、前記ドラムの幅よりも僅かに狭い版）５Ｂの一端部を、前記折り曲げをしている折り曲げ線の部位である第２の折り曲げ部位が、溝２３の幅方向の他端部側で溝２３の上部に位置するようにして保持し、溝２３内における溝２３の幅方向の他端部側で溝２３の円弧状の底面３９に接触し、ドラム３の中心軸ＣＬ１とほぼ同じ中心軸を中心にして、ドラム３の周方向に移動するようになっており、各保持部材２５を用いて複数枚の版５をドラム３に設置することができるように構成してもよい。
【００７２】
なお、前述した実施形態では、版５として薄いメッキ層を設けるものを例に掲げて説明したが、印刷等の他の目的に使用される版にも、前記実施形態に係る取り付け構造を適用することができる。
【００７３】
さらに、前述した版５の取り付け構造１は、ドラムに設けられている円柱側面形状の外周面に、薄い板状の金属製の版を取り付ける版の取り付け構造において、前記ドラムの外周で前記ドラムの中心軸の延伸方向に延伸して設けられた溝と、前記溝内で前記版の一端部を保持する保持手段と、前記版を前記ドラムに密着させるために、前記保持手段で保持した版に弾性限度内の力を加えて引張る引張手段とを有する版の取り付け構造の例である。
【図面の簡単な説明】
【００７４】
【図１】本発明の実施形態に係る版の取り付け構造に使用されるドラムの概略構成を示す斜視図である。
【図２】版の斜視図である。
【図３】版が設置されたドラムの使用状態の概略を示す図である。
【図４】版の取り付け構造の概略構成を示す分解斜視図である。
【図５】図１および図４におけるＶ矢視を示す図である。
【図６】図５におけるＶＩ−ＶＩ断面図である。
【図７】図５におけるＶＩＩ−ＶＩＩ断面図である。
【図８】図５におけるＶＩＩＩ矢視図である。
【図９】図８におけるＩＸ−ＩＸ断面図である。
【図１０】Ｏリングの設置形態の変形例を示す図である。
【図１１】版の一端部の保持方式の変形例を示す図である。
【図１２】版の取り付け構造の変形例を示す図であり、図６に対応した図である。
【図１３】版の取り付け構造の変形例を示す図であり、図６に対応した図である。
【図１４】版の取り付け構造の変形例を示す図であり、図６に対応した図である。
【図１５】版の取り付け構造の変形例を示す図であり、図６に対応した図である。
【図１６】版の取り付け構造の変形例を示す図であり、図６に対応した図である。
【図１７】版の取り付け構造の変形例を示す図であり、図６に対応した図である。
【図１８】Ｏリングの設置形態の変形例を示す図である。
【図１９】Ｏリングの設置形態の変形例を示す図である。
【図２０】Ｏリングの設置形態の変形例を示す図である。
【図２１】Ｏリングの設置形態の変形例を示す図である。
【図２２】版の取り付け構造の変形例を示す図である。
【符号の説明】
【００７５】
１  版の取り付け構造
３  ドラム
５  版
２３  溝
２５  保持部材
２８  引張手段
２９  溝内延伸部位
４３  付勢手段
５１  Ｏリング
５５  カバー
６７  ターンバックル
ＣＬ１  ドラムの中心軸
【図１】
2008006643.tif 000003
【図２】
2008006643.tif 000004
【図３】
2008006643.tif 000005
【図４】
2008006643.tif 000006
【図５】
2008006643.tif 000007
【図６】
2008006643.tif 000008
【図７】
2008006643.tif 000009
【図８】
2008006643.tif 000010
【図９】
2008006643.tif 000011
【図１０】
2008006643.tif 000012
【図１１】
2008006643.tif 000013
【図１２】
2008006643.tif 000014
【図１３】
2008006643.tif 000015
【図１４】
2008006643.tif 000016
【図１５】
2008006643.tif 000017
【図１６】
2008006643.tif 000018
【図１７】
2008006643.tif 000019
【図１８】
2008006643.tif 000020
【図１９】
2008006643.tif 000021
【図２０】
2008006643.tif 000022
【図２１】
2008006643.tif 000023
【図２２】
2008006643.tif 000024